(57)【要約】【課題】  避難始点にいる避難者が単独で操作して使用できるようにする。装置構成を簡素小型にする。シュートの伸展が円滑になされるようにする。【解決手段】  高所の避難始点Ａから低所の避難終点Ｂまで張設されたワイヤロープ１と、折畳まれて上端部が避難始点Ａに固定されて設置され避難終点Ｂまで伸展された状態で避難者が内部を滑走して降下する筒形のシュート２とを備えている。シュート２は、ワイヤロープ１を滑走する吊部材３によって吊持され下端部に重り４が取付けられている。【選択図】図１
2008154696.tif 000002
【特許請求の範囲】
【請求項１】
高所の避難始点から低所の避難終点まで張設されたワイヤロープと、折畳まれて上端部が避難始点に固定されて設置され避難終点まで伸展された状態で避難者が内部を滑走して降下する筒形のシュートとを備えた避難装置において、シュートはワイヤロープを滑走する吊部材によって吊持され下端部に重りが取付けられていることを特徴とする避難装置。
【請求項２】
請求項１の避難装置において、シュートは長さ方向と周方向とに帯状の補強材が取付けられ、吊部材はシュートの周方向に設けられた補強材に連結されていることを特徴とする避難装置。
【請求項３】
請求項１または２の避難装置において、シュートは避難始点に設置された水平な踏台に上端部が固定されて開放されていることを特徴とする避難装置。
【請求項４】
請求項１〜３のいずれかの避難装置において、シュートはジグザグ状に折畳まれて避難始点に設置された水平な踏台に載置されていることを特徴とする避難装置。
【請求項５】
請求項３または４の避難装置において、踏台は建屋の避難用窓の内部から外部へスライド可能であることを特徴とする避難装置。
【請求項６】
請求項１〜５のいずれかの避難装置において、請求項１〜４のいずれかの避難装置において、避難始点にはワイヤロープのテンションを調整するテンション調整機構が設置されていることを特徴とする避難装置。
【発明の詳細な説明】
【技術分野】
【０００１】
本発明は、火災等の緊急時に高所から傾斜滑走で安全な低所に避難するための避難装置に係る技術分野に属する。
【背景技術】
【０００２】
高所から傾斜滑走で避難するための避難装置では、通常、緊急時に高所である避難始点に上端部が固定されている傾斜滑走用のシュートを投下して下端部を低所である避難終点に固定する必要がある。即ち、避難始点と避難終点との双方に人員が配置されなければ使用できないものである。避難始点における人員については、避難者自身が担当することができる。然しながら、避難終点における人員については、夜間時や過疎地の場合に確保されないことが多い。このため、避難のタイミングを逸してしまうことがあるという状況がある。
【０００３】
従来、避難始点と避難終点との双方に人員が配置されなくても使用できることを指向した避難装置としては、例えば、特許文献１に記載のものが知られている。
該特許文献１には、高所の避難始点から低所の避難終点まで張設されたワイヤロープと、蛇腹状に折畳まれて避難始点に設置され避難者が内部を滑走して降下する筒形のシュートと、シュートの周面を支持してワイヤロープに貫通された複数個の環状のスライド枠と、シュートに圧力流体を充填してシュートを避難始点から避難終点に向けて伸展させる圧力流体供給手段とを備えた避難装置が記載されている。
【０００４】
特許文献１に係る避難装置は、避難始点にいる避難者が圧力流体供給手段からシュートに圧力流体を充填することで、シュートをスライド枠で案内させてワイヤロープに沿って避難終点に向けて伸展させ、伸展された状態のシュートの内部を避難者が滑走して避難終点まで降下することができるものである。即ち、避難終点に人員が確保されなくても、避難始点にいる避難者が単独で操作して使用することができるものである。
【特許文献１】実開昭５３−２７３９９号公報
【発明の開示】
【発明が解決しようとする課題】
【０００５】
特許文献１に係る避難装置では、圧力流体供給手段を必要とするため、装置構成が複雑化，大型化してしまうという問題点がある。また、シュートの伸展がシュートの周面を支持してワイヤロープが貫通された環状のスライド枠によって案内されるため、シュートから作用する捻力等でスライド枠がワイヤロープに引掛かってしまい、シュートの伸展が円滑になされないことがあるという問題点がある。
【０００６】
本発明は、このような問題点を考慮してなされたもので、避難始点にいる避難者が単独で操作して使用することができるとともに、装置構成が簡素小型でシュートの伸展が円滑になされる避難装置を提供することを課題とする。
【課題を解決するための手段】
【０００７】
前述の課題を解決するため、本発明に係る避難装置は、特許請求の範囲の各請求項に記載の手段を採用する。
【０００８】
即ち、請求項１では、高所の避難始点から低所の避難終点まで張設されたワイヤロープと、折畳まれて上端部が避難始点に固定されて設置され避難終点まで伸展された状態で避難者が内部を滑走して降下する筒形のシュートとを備えた避難装置において、シュートはワイヤロープを滑走する吊部材によって吊持され下端部に重りが取付けられていることを特徴とする。
【０００９】
この手段では、シュートの下端部に重りを取付けることで、重りの落下でシュートを引張して伸展させ圧力流体供給手段を不要にする。また、シュートがワイヤロープを滑走する吊部材に吊持されて伸展されることで、シュートの捻力等が吊部材に作用しなくなる。
【００１０】
また、請求項２では、請求項１の避難装置において、シュートは長さ方向と周方向とに帯状の補強材が取付けられ、吊部材はシュートの周方向に設けられた補強材に連結されていることを特徴とする。
【００１１】
この手段では、シュートの長さ方向，周方向に補強材が取付けられることで、筒形のシュートが全体的に補強される。また、吊部材がシュートの周方向に設けられた補強材に連結されることで、吊部材の吊荷重がシュートへの連結部分から周方向へ分散される。
【００１２】
また、請求項３では、請求項１または２の避難装置において、シュートは避難始点に設置された水平な踏台に上端部が固定されて開放されていることを特徴とする。
【００１３】
この手段では、水平な踏台にシュートの上端部を固定して開放することで、避難者のシュートへの滑走の入口が水平に開口され、避難者が踏台に手をついてシュートに体を滑込ませることができるようになる。
【００１４】
また、請求項４では、請求項１〜３のいずれかの避難装置において、シュートはジグザグ状に折畳まれて避難始点に設置された水平な踏台に載置されていることを特徴とする。
【００１５】
この手段では、シュートをジグザグ状に折畳んで水平な踏台に載置しておくことで、重りに引張されたシュートが順次引起こされて伸展される。
【００１６】
また、請求項５では、請求項３または４の避難装置において、踏台は建屋の避難用窓の内部から外部へスライド可能であることを特徴とする。
【００１７】
この手段では、踏台を建屋の避難用窓においてスライド可能にすることで、必要時にのみ避難用窓の外部へ引出して使用することができる。
【００１８】
また、請求項６では、請求項１〜５のいずれかの避難装置において、請求項１〜４のいずれかの避難装置において、避難始点にはワイヤロープのテンションを調整するテンション調整機構が設置されていることを特徴とする。
【００１９】
この手段では、避難始点にテンション調整機構が設置されることで、ワイヤロープの無用なたるみを解消することができる。
【発明の効果】
【００２０】
本発明に係る避難装置は、シュートの下端部に重りを取付けることで、重りの落下でシュートを引張して伸展させ圧力流体供給手段を不要にするため、避難始点にいる避難者が単独で操作して使用することができるとともに、装置構成が簡素小型になる効果がある。また、シュートがワイヤロープを滑走する吊部材に吊持されて伸展されることで、シュートの捻力等が吊部材に作用しなくなるため、シュートの伸展が円滑になされる効果がある。
【００２１】
さらに、請求項２として、シュートの長さ方向，周方向に補強材が取付けられることで、筒形のシュートが全体的に補強されるため、シュートに滑走する避難者の体重に耐える強度が確実に確保される効果がある。また、また、吊部材がシュートの周方向に設けられた補強材に連結されることで、吊部材の吊荷重がシュートへの連結部分から周方向へ分散されるため、吊荷重が連結部分に集中してシュートが破損するのを防止することができるこうかがある。
【００２２】
さらに、請求項３として、水平な踏台にシュートの上端部を固定して開放することで、避難者のシュートへの滑走の入口が水平に開口され、避難者が踏台に手をついてシュートに体を滑込ませることができるようになるため、避難者に恐怖感を起こさせることなく安全にシュートに滑込むことができる効果がある。
【００２３】
さらに、請求項４として、シュートをジグザグ状に折畳んで水平な踏台に載置することで、重りに引張されたシュートが順次引起こされて伸展されるため、シュートの伸展がより円滑になされる効果がある。
【００２４】
さらに、請求項５として、台を建屋の避難用窓においてスライド可能にすることで、必要時にのみ避難用窓の外部へ引出して使用することができるため、普段避難用窓の内部に収容して雨濡れ損傷を避けることができる効果がある。
【００２５】
さらに、請求項６として、避難始点にテンション調整機構が設置されることで、ワイヤロープの無用なたるみを解消することができるため、避難者がシュートを滑走する際に吊持されているシュートが大きく揺れるのを防止することができる効果がある。
【発明を実施するための最良の形態】
【００２６】
以下、本発明に係る避難装置を実施するための最良の形態を図面に基づいて説明する。
【００２７】
図１〜図１１は、本発明に係る避難装置を実施するための最良の形態の第１例を示すものである。
【００２８】
第１例では、高所である避難始点Ａとして建屋の高層階が設定され、低所である避難終点Ｂとして地上が設定されたものを示してある。
【００２９】
第１例は、図１に示すように、ワイヤロープ１，シュート２，吊部材３，重り４を主要部として構成されている。
【００３０】
ワイヤロープ１は、耐腐食性のある強靱な材質の１本構造からなるもので、避難始点Ａと避難終点Ｂとの間に傾斜して張設されている。
【００３１】
避難始点Ａでは、ワイヤロープ１がガイドローラ５，６とワイヤロック機構７とテンションローラ８とを介してテンション調整機構９に連結されている。ガイドローラ５，６は、避難用窓（避難専用または緊急時に避難用として使用される通常の窓）１０の外部と内部とに設置されて、ワイヤロープ１を避難用窓１０の内部に引込んでいる。ワイヤロック機構７は、避難用窓１０の内部に設置されて、操作ハンドル７ａで固定板７ｂに接離，抜差しされる可動板７ｃ，ロックシャフト７ｄを備え、避難用窓１０の内部に引込まれたワイヤロープ１を非使用時にロックしておき使用時にロック解除するものである。テンションローラ８は、避難用窓１０の内部，外部をスライドする踏台１１に設置されて、使用時にワイヤロープ１にテンションを掛けるものである。踏台１１は、避難用窓１０の内部の床面に立設された支持脚１２に固定されたガイド部材１３によって水平方向へスライド可能に支持されたもので、底板１１ａを囲む底枠１１ｂの両側に手摺１１ｃが取付けられている。前述のテンションローラ８は、踏台１１の手摺１１ｃに回転可能に支持されている。支持脚１２には、階段１４が取付けられている。ガイド部材１３は、図８に詳細に示されるように、踏台１１の底枠１１ｂを上下から挟込むガイドローラ１３ａが支持脚１２に固定された支持枠１３ｂに回転可能に支持されている。テンション調整機構９は、ワイヤロープ１の上端末が固定されて巻付けられた巻取ローラ９ａと、巻取ローラ９ａを回転させるハンドル９ｂと、巻取ローラ９ａに同軸に固定されたギア９ｃと、ギア９ｃに噛合するバネ爪９ｄとを備えている。テンション調整機構９のギア９ｃ，バネ爪９ｄは、ワンウエイクラッチを構成している。
【００３２】
避難終点Ｂでは、ワイヤロープ１が地上に設置されたアンカ１５に連結されている。
【００３３】
シュート２は、内部を人間が寝そべって滑走できる大きさの筒形に形成されている。シュート２の材質としては、避難者の被服との間で少しの摩擦を生じて高速な滑走が起こらない強靱な布材等が選択される。外周面には、図１０に示すように、下部側に長さ方向へ延びた複数本の帯形の補強材２ａが縫着等で取付けられ、長さ方向へ一定間隔を介して周方向へ延びた帯形の補強材２ｂが縫着等で取付けられている。上端部は、図７に示すように、円形の取付枠２ｃが取付けられて踏台１１の底板１１ａに強靱なロープ１６で固定されて開放されている。シュート２は、図１０に示すように、弾性復元性を有する円形の補強枠２ｄが取付けられている。
【００３４】
このシュート２は、図９に示すように、非使用時には、反転するように踏台１１の底板１１ａの上方側に巻上げられ、ジグザク状に折畳まれしかも上下に連続した２つの段積みで踏台１１の底板１１ａに載置されている。
【００３５】
吊り部材３は、図１０に示すように、シュート２をワイヤロープ１に吊持するもので、ワイヤロープ１に貫通されてワイヤロープに沿って滑走するリング形の滑走体３ａと、滑走体３ａとシュート２とを連結する吊ベルト３ｂと、吊ベルト３の中途に設けられた中継体３ｃとからなる。滑走体３ａは、ワイヤロープ１との間に摩擦をあまり生じない強化された合成樹脂材等からなるもので、非使用時にはワイヤロープ１に貫通されてワイヤロック機構７とテンションローラ８との間に集合されて配置されている。吊ベルト３ｂは、シュート２の周方向の補強材２ｂに連結され、吊荷重をシュート２への連結部分から周方向へ分散させ、吊荷重がシュート２への連結部分に集中してシュートが破損するのを防止する。中継体３は、ワイヤロープ１（滑走体３ａ）とシュート２との吊間隔を調整するバックル構造からなるもので、ワイヤロープ１の傾斜角度とは異なる角度（例えば、急角度の後に緩角度として避難者の滑走を制動する構成）でシュート２を吊持させることができる。
【００３６】
重り４は、シュート２の下端部に取付けられている。この重り４については、安全性を考慮して砂袋または表面に緩衝材が取付けられたものが選択される。なお、非使用時には、折畳まれたシュート２の上に載置されている。
【００３７】
さらに、第１例では、避難用窓１０近くの外部に、使用時に点灯される緊急警告灯１７が設置されている
【００３８】
第１例は、非使用時においては、図１（Ａ），図２，図３に示すように、避難用窓１０の内部に設置されて雨濡れ損傷が防止されている。
【００３９】
火災等の避難を要する緊急時には、図１（Ｂ），図４，図５に示すように、ワイヤロック機構７を操作してワイヤロープ１のロック解除を行った後、踏台１１を避難用窓１０の外部方向へスライドさせる。このとき、踏台１１の半部が避難用窓１０の外部に突出して水平状態を維持するように設定されている。
【００４０】
続いて、図１（Ｃ），図６，図７に示すように、重り４を投下する。
【００４１】
この結果、重り４の落下によりシュート２が引張され、シュート２がワイヤロープ１に沿って避難終点Ｂに向けて伸展されることになる。このとき、シュート２がワイヤロープ１を滑走する吊部材３に吊持されて伸展されるため、シュート２の捻力等が少なくとも吊部材３の滑走体３に作用しなくなるため、シュート２の伸展が円滑になされる。また、シュート２が前述のように整然と折畳まれて連続的に積層され、重り４の引張でシュート２が順次引起こされて伸展されることも、シュート２の円滑な伸展に寄与する。
【００４２】
即ち、避難終点Ｂに人員が配置されていなくても、避難始点Ａにいる避難者が単独で操作して使用することができる。また、特許文献１に係る避難装置おける圧力流体供給手段が不要であるため、装置構成が簡素小型ですむことになる。
【００４３】
この後、テンション調整機構９を操作して、ワイヤロープ１の無用なたるみを解消して、避難者がシュート２を滑走する際に吊持されているシュート２が大きく揺れるのを防止する。
【００４４】
続いて、階段１４を踏んで踏台１１に乗り、踏台１１の底板１１ａに手をついたり手摺１１ｃを掴んだりして、シュート２への滑走の入口として水平に開口されているシュート２の取付枠２ｃから体を滑込ませる。このとき、避難者の体が不安定にらないため、避難者に恐怖感を起こさせることなく安全にシュート２に体を滑込ませることができる。
【００４５】
続いて、踏台１１から手を離してシュート２の内部を滑走して降下する。このとき、シュート２が補強材２ａ，２ｂで補強されているため、避難者の体重等でシュート２が破損するようなことはない。また、シュート２の下端部の補強枠２ｄが弾性復元性によって開口を保持しているため、シュート２を降下する避難者が確実に避難終点Ｂに到達される。
【００４６】
第１例については、図１１に示すように、複数回の避難用窓１０から共通のアンカ１５にワイヤロープ１を張設することも可能である。
【００４７】
図１２は、本発明に係る避難装置を実施するための最良の形態の第２例を示すものである。
【００４８】
第２例は、踏台１１を避難用窓１０の外部側に固定的に設置してある。そして、ガイドローラ５，６，ワイヤロック機構７，テンションローラ８等を省略して、ワイヤロープ１の上端末を踏台１１の手摺１１ｃに固定してある。
【００４９】
第２例によると、第１例に比して装置構成をより簡素小型化することができる。なお、雨濡れ防止については、カバーシートを被せること等で対処することができる。
【図面の簡単な説明】
【００５０】
【図１】本発明に係る避難装置を実施するための最良の形態の第１例の斜視図であり、（Ａ）〜（Ｃ）に操作手順が示されている。
【図２】図１（Ａ）の要部の側面図である。
【図３】図２の平面図である。
【図４】図１（Ｂ）の要部の側面図である。
【図５】図４の平面図である。
【図６】図１（Ｃ）の要部の側面図である。
【図７】図６の平面図である。
【図８】図２の要部の拡大縦断面図である。
【図９】図２の他の要部の簡略化した断面図である。
【図１０】図１（Ｃ）の要部の詳細図である。
【図１１】図１の他の設置例を示す図である。
【図１２】本発明に係る避難装置を実施するための最良の形態の第２例の要部の側面図ある。
【符号の説明】
【００５１】
１   
ワイヤロープ
２            シュート
２ａ，２ｂ    補強材
３            吊部材
４            重り
９            テンション調整機構
１１          踏台
Ａ            避難始点
Ｂ            避難終点
【図１】
2008154696.tif 000003
【図２】
2008154696.tif 000004
【図３】
2008154696.tif 000005
【図４】
2008154696.tif 000006
【図５】
2008154696.tif 000007
【図６】
2008154696.tif 000008
【図７】
2008154696.tif 000009
【図８】
2008154696.tif 000010
【図９】
2008154696.tif 000011
【図１０】
2008154696.tif 000012
【図１１】
2008154696.tif 000013
【図１２】
2008154696.tif 000014